(57)【要約】【課題】作業の一層の効率化に寄与することのできる指保護具を提供する。【解決手段】指保護具１０は、指抜き状に形成される。指の背側の部分Ａ１は、指の背に当たる箇所の反指先側の部位が、輪の軸線方向に沿って外側に向けて、凸に湾曲状に形成される。指の背側の部分Ａ１の表面側の、軸線方向に沿った中心線部分Ｂ２は、凸条状に隆起して形成される。中心線部分Ｂ２の内側には、永久磁石１２が内蔵される。調理材料を固定する添え手の指に指保護具１０を装着して包丁等で調理材料を切り刻むとき、適度の磁力によって包丁の側面が指保護具１０の中心線部分Ｂ２に吸引され、包丁の横ぶれが軽減される。【選択図】図４
0003114553.tif 000002
【実用新案登録請求の範囲】
【請求項１】
外界の刺激から指を保護する指抜き状の指保護具であって、磁石を備えてなることを特徴とする指保護具。
【請求項２】
前記磁石が指の背に当たる箇所に設けられてなることを特徴とする請求項１記載の指保護具。
【請求項３】
前記磁石が内蔵されてなることを特徴とする請求項１または２記載の指保護具。
【請求項４】
前記磁石が着脱可能に取り付けられてなることを特徴とする請求項１または２記載の指保護具。
【請求項５】
刃物使用時に用いられ、指の背に当たる箇所の反指先側の部位が、軸線方向に沿って外側に向けて凸に湾曲状に形成されてなることを特徴とする請求項１〜４のいずれか１項に記載の指保護具。
【請求項６】
少なくとも指の背に当たる箇所の外表面側の軸線方向に沿った中心線部分が、凸条状に隆起して形成されてなることを特徴とする請求項１〜５のいずれか１項に記載の指保護具。
【請求項７】
内表面にクッション層が設けられてなることを特徴とする請求項１〜６のいずれか１項に記載の指保護具。
【考案の詳細な説明】
【技術分野】
【０００１】
本考案は、例えば調理時に包丁やナイフ等の刃物を用いた作業を行う場合等において、誤って添え手の指に加わりうる、突き刺したり切ったりする外界の刺激（刺撃）から指を保護する指保護具に関するものである。
【背景技術】
【０００２】
例えば調理時に包丁やナイフ等の刃物を用いて調理材料を切り刻む等の作業を行う場合、調理材料が動かないように固定するために、刃物を持つ手とは別の手で調理材料を押さえることが行われる（本明細書ではこの別の手を添え手ということがある。）。
このとき、さらに、その添え手の、調理材料を切り刻む位置に置いた指先近傍に刃物の側面を触れさせながら刃物を滑らすことで、いわば、指先を刃物のガイド（案内）として刃物の刃を調理材料を切り刻む位置に正確に導き、効率的に、かつ形良く調理材料を切り刻むことが行われる。
【０００３】
ところが、作業者の経験が浅い場合や、あるいは経験を積んでいても作業者が刃物に対する強い恐怖心を払拭できない場合等においては、作業の能率が低くなり、さらには、手元が狂って添え手の指を切ってしまうおそれもある。
【０００４】
このような不具合を解消するべく、刃物用指保護具が提案されている。
例えば、指の関節と屈曲部に着目して複数の特異な形状のカバー部で構成した刃物用指保護具がある（特許文献１参照。）。
【０００５】
これらの刃物用指保護具を用いることで、手元が狂って添え手の指を刃物で切ってしまうおそれが軽減されうる。
【特許文献１】特開２０００−８３８４３号公報
【考案の開示】
【考案が解決しようとする課題】
【０００６】
しかしながら、上記従来の指保護具を用いる場合においても、作業者の経験が浅いとき等においては、指先をガイドとして刃物の刃を調理材料を切り刻む位置に正確に導き、効率的に、かつ形良く調理材料を切り刻むことが、必ずしも良好に行われるとは限らない。
また、例えば、大工仕事において金槌等で釘を板に打ち付ける作業等を行う場合においても、指保護具を用いることが好都合であるが、この場合においても、指保護具に作業効率を向上させる機能をさらに付加すれば、より好都合である。
【０００７】
本考案は、上記の課題に鑑みてなされたものであり、作業の一層の効率化に寄与することのできる指保護具を提供することを目的とする。
【課題を解決するための手段】
【０００８】
本考案に係る指保護具は、外界の刺激から指を保護する指抜き状の指保護具であって、磁石を備えてなることを特徴とする。
【０００９】
また、本考案に係る指保護具は、前記磁石が指の背に当たる箇所に設けられてなることを特徴とする。
【００１０】
また、本考案に係る指保護具は、前記磁石が内蔵されてなることを特徴とする。
【００１１】
また、本考案に係る指保護具は、前記磁石が着脱可能に取り付けられてなることを特徴とする。
【００１２】
また、本考案に係る指保護具は、刃物使用時に用いられ、指の背に当たる箇所の反指先側の部位が、軸線方向に沿って外側に向けて凸に湾曲状に形成されてなることを特徴とする。
【００１３】
また、本考案に係る指保護具は、少なくとも指の背に当たる箇所の外表面の軸線方向に沿った中心線部分が、凸条状に隆起して形成されてなることを特徴とする。
【００１４】
また、本考案に係る指保護具は、内表面にクッション層が設けられてなることを特徴とする。
【考案の効果】
【００１５】
本考案の指保護具は、磁石を備えているため、鉄製等の刃物や金属を適度の磁力で指保護具に吸引あるいは吸着することができ、これにより、刃物を指保護具に吸引させてより的確にガイドし、あるいは、散乱しあるいは狭い溝等に落ち込んだ釘等の金属を指保護具に吸着させる等して、作業の一層の効率化に寄与することができる。
【考案を実施するための最良の形態】
【００１６】
本考案の実施の形態について、以下に説明する。
【００１７】
本考案に係る指保護具は、外界の刺激から指を保護するために用いる指抜き（指貫）状の指保護具である。
ここで、外界の刺激とは、既に説明したように、例えば調理時に包丁やナイフ等の刃物を用いた作業を行う等の際に、誤って添え手の指に加わりうる、突き刺したり切ったりする外界の刺激（刺撃）をいう。
また、指抜き（指貫）状とは、裁縫する時に針の頭を押すため、指にはめる輪の形状をしたものをいう。このような機能を有する限り、具体的な形状、構造については特に制限はない。例えば、指の背側（指の腹と反対側）を覆うための例えば半割板状部材に、指を挿通するための輪部材を接合したもの等も本考案の指保護具の構造のひとつである。また、指保護具は、隣り合う複数のそれぞれの指に指保護具を個別に装着して用いるかわりに、１つの指保護具を、隣り合う複数の指の背側を覆うためのカバー部材に、それら複数の指を挿通するための複数の輪部材を接合した構造としたもの等も含む。
【００１８】
本考案に係る指保護具は、従来の指保護具と異なり、磁石を備える。
この場合、実質的に指保護具全体を磁石となりうる材料で形成してもよく、あるいは、指保護具の一部に磁石を備えたものであってもよい。後者の場合、複数の微細寸法の磁石を所望の位置に離間して配置したものとしてもよい。
また、磁石は、指の背に当たる箇所に設けられたものであると、より好適である。さらにまた、磁石は、指保護具の本体の表面あるいは裏面に接合しあるいは貼り付けたものであってもよいが、指保護具の本体に内蔵する構造とすると、例えば外観上の違和感がない。また、磁石を指保護具に着脱可能に取り付ける構成としてもよい。
【００１９】
指保護具の本体を磁石とは別材料で形成する場合、本体の材料は、磁石の機能を損なわない限りその種類を特に限定するものではないが、指保護具の表面を刃物等で傷つけ、損傷させることを軽減し、また、耐久性を保持する観点からは、硬質樹脂や硬質金属を好適に用いることができる。また、本体の材料を軟質樹脂や軟質金属で形成し、その表面に硬質樹脂や硬質金属の薄膜を被覆する構成としてもよい。
【００２０】
磁石は永久磁石を好適に用いることができるが、電磁石を用いてもよい。
永久磁石を用いる場合、指保護具の構造が簡易となり、また、指保護具を安価に得ることができるが、磁力が固定されてしまうことによる不都合を生じうる。一方、電磁石を用いる場合、永久磁石を用いる場合に比べて、指保護具の構造が複雑化して指保護具が嵩高となり、また、指保護具が高価になりがちであるが、用途によっては使用可能であり、磁力を任意に調整できることによる利便性を有する。
【００２１】
また、指保護具は、内表面、すなわち、指が触れる側の表面にクッション材によってクッション層を形成したものとすると、良好なフィット感を得られる等の利点を有する。
【００２２】
本考案に係る指保護具は、磁石の機能を活用できるものである限りその用途を特に限定するものではないが、より好ましくは、刃物使用時に、刃物を指保護具に吸引させてより的確にガイドするために用いられる。また、大工仕事において、金槌等で釘を板に打ち付ける作業等を行う場合に、散乱しあるいは狭い溝等に落ち込んだ釘等の金属を吸着させる等する際にも好適に用いることができる。
【００２３】
ここで、刃物使用時に用いる指保護具の一例について、図を参照して説明する。
【００２４】
まず、指保護具の構成について、図１〜図４を参照して説明する。図1は、指保護具を装着される指の背側から見た表面図であり、図２は、指保護具を装着される指の腹側から見た裏面図であり、図３は、指保護具を装着される指の側面から見た側面図であり、図４は、図１中、指保護具をＸ２−Ｘ２線で切断して示す断面図ある。
【００２５】
指保護具１０は、指抜き状、すなわち管状に形成され、本体１６、磁石１２およびクッション層１４で構成される。なお、この場合、指保護具１０は、必要に応じて、指先側を閉塞したいわゆるサック（袋）状に形成してもよい。
【００２６】
指保護具１０は、装着される指の背側の部分（図１、図３および図４中、矢印Ａ１で示す。）、言い換えれば、指の背に当たる箇所が、例えば指の１つの節を覆うことができる程度に、あるいは、さらに、その１つの節に続く屈曲部を覆うことができる程度に、図１および図３中、上下方向に長尺に形成される。
【００２７】
指保護具１０の指の背側の部分Ａ１は、指の根元（股）に近い側の部分、言い換えれば、指の背に当たる箇所の反指先側の部位（図３中、矢印Ｂ１で示す。）が、輪の軸線方向（図３中、Ｘ１−Ｘ１で示す。）に沿って外側（外表面側：図３中、右側方向）に向けて、図３中上下方向に凸に湾曲状に形成される。なお、本実施例では、指保護具１０は、反指先側の部位Ｂ１のみでなく、指の節を覆う部位および指先側の部位を含め、指の背側の部分Ａ１の全体が湾曲状に形成されている。
また、指保護具１０の指の背側の部分Ａ１は、外表面側（図３中、厚み方向右側）の、軸線方向に沿った中心線部分（図１中、矢印Ｂ２で示すハッチング箇所）が、凸条状に隆起して形成される。
この場合、中心線部分Ｂ２は、図４に示すような傾斜のゆるやかな山状に形成してもよく、あるいは、急峻な峰状に形成してもよく、さらにまた、細線状に形成してもよい。
【００２８】
一方、指保護具１０は、装着される指の腹側の部分（図２〜図４中、矢印Ａ２で示す。）が、最下部の箇所（図２〜図４中、矢印Ｂ３で示す。）で管が切り開かれたように離間した形状となっている。指保護具１０は、この切り開かれた最下部の箇所Ｂ３が拡縮可能な程度の可撓性を有する材料で形成する。
【００２９】
さらに、中心線部分Ｂ２の内側の指保護具１０の本体１６の部分には、例えば中心線部分Ｂ２の面に対応する広さの面を持つ矩形の永久磁石１２が内蔵される。永久磁石１２の寸法および磁力は、使用される指保護具１０の寸法、形状、さらに、用途に応じて求められる吸引力あるいは吸着力の程度に応じて適宜設定される。
【００３０】
指保護具１０の内面、言い換えれば、装着される指に触れる側の面には、例えば内面全面を覆うように、例えばゴムやウレタン等のクッション材で形成したクッション層１４が設けられる。クッション層１４は、さらに、指保護具１０の本体１６の指の腹側の部分Ａ２の縁部（図２および図３中、矢印Ｂ４で示す。）を覆うように、折り返された形状となっている。
【００３１】
つぎに、指保護具１０の使用方法について、図５および図６を参照して説明する。
【００３２】
指保護具１０は、例えば、右利きの人が右手に包丁等の刃物を持って葱等の調理材料を切り刻むときに、添え手となる左手の例えば中指（図５および図６中、矢印Ｆで示す。）に装着される。
このとき、指保護具１０は、例えば中指Ｆの中節（爪の生えている部分である末節と指の根元に近い部分である基節の間にある部分）に、反指先側の部位Ｂ１が基節側にくるように装着される。また、指保護具１０は、中心線部分Ｂ２が中指Ｆの中節の背の頂部に位置するように装着される。なお、指保護具１０の使用方法は、人によって異なり、例えば、中節に代えて中節と末節の間の屈曲部分や、あるいは末節に装着することもありえる。また、中指Ｆに代えて人差し指に指保護具１０を装着し、また、まれには親指に指保護具１０を装着することもありえる。また、例えば中指Ｆと人差し指の双方に指保護具１０を装着することが好都合な場合もありえる。
指保護具１０を中指に装着するとき、中指の太さは人によって異なるが、指の腹側の部分Ａ２の切り開かれた最下部の箇所Ｂ３が拡縮することで、中指の太さに関わらず良好なフィット感で指保護具１０を確実に装着することができる。また、指保護具１０の内面にクッション材１４が設けられているため、フィット感はさらに良好となる。
【００３３】
装着状態において、指保護具１０は、中指Ｆの中節の背側を覆うとともに、反指先側の部位Ｂ１が中指Ｆの中節と基節の間の屈曲部分を越えて基節の一部を覆う。また、指先側の部位（図５中、矢印Ｂ５で示す。）が、中指Ｆの中節と末節の間の屈曲部分を越えて末節の一部を覆う。
【００３４】
指保護具１０を装着した状態で調理材料（図６中、矢印Ｍで示す。）を包丁（図６中、矢印Ｃで示す。）で切り刻むとき、指保護具１０を装着した左手の、調理材料Ｃを切り刻む位置（図６中、矢印Ｐで示す。）に置いた中指Ｆの指先近傍（ここでは中節）に装着した指保護具１０の指の背側の部分Ａ１に刃物の側面を触れさせながら包丁（刃物）Ｃを滑らす。これにより、いわば、指先をガイド（案内）として包丁Ｃの刃部で調理材料Ｍを、所望の位置で、効率的に、かつ形良く切り刻むことができる。
このとき、包丁Ｃの刃部が図６中Ｘ３−Ｘ３方向に横ぶれしたとしても、中指Ｆの指先近傍は指保護具１０で保護されているため、包丁Ｃの刃部によって切り傷等を受けるおそれはない。
また、指保護具１０の中心線部分Ｂ２の内側に永久磁石１２が設けられているため、包丁Ｃの刃部が適度の磁力により指保護具１０の中心線部分Ｂ２に吸引されることで、包丁Ｃの刃部の横ぶれをより確実に軽減することができ、これにより、所望の位置で、より効率的に、かつ形良く調理材料Ｍを切り刻むことが可能となり、作業性がより向上する。
【００３５】
また、指保護具１０の中心線部分Ｂ２に沿って包丁Ｃが図６中上下方向に往復動し、指保護具１０指の背側の部分Ａ１に包丁Ｃが面状に広い範囲で吸引されることがないため、包丁Ｃが磁力による過大な吸引力を受け、あるいはまた、指保護具１０指の背側の部分Ａ１が必要以上に包丁Ｃに干渉することで、作業性が不安定となるおそれがない。また、指保護具１０の中心線部分Ｂ２に対応して永久磁石１２が設けられており、磁力がほぼ中心線部分Ｂ２のみに作用するため、包丁Ｃを指保護具１０の中心線部分Ｂ２に沿って容易に移動させることができる。
また、指保護具１０の指の背側の部分Ａ１の指の背に当たる箇所の反指先側の部位Ｂ１が、上下方向に凸に湾曲状に形成されているため、包丁Ｃが指保護具１０の反指先側の部位Ｂ１に当たって干渉を受けて作業性を損なうおそれがない。また、例えば調理材料Ｍを切り刻む作業を開始した時点等、包丁Ｃを大きな振幅で上下動させたときでも、中指Ｆの中節と基節の間の屈曲部や基節が指保護具１０の反指先側の部位Ｂ１で保護されるため、屈曲部等に傷を負うおそれがない。
【００３６】
また、指保護具１０は、その機能性を確保する必要上、いわゆる指抜きや指輪等に比べると寸法が大型化しあるいは重量化することもあり、この場合、指保護具１０による過大な圧迫感を受けるおそれがあるが、クッション材１４の存在によってそのおそれが軽減される。また、クッション材１４が指の腹側の部分Ａ２の切り開かれた最下部の箇所Ｂ３の縁を覆うように設けられているため、指保護具１０の本体１６の材料に用いる金属等の縁が指の肉に食い込むおそれもない。
【００３７】
なお、指保護具１０では、良好な作業性が得られるように吸引力を調整した永久磁石１２を用いるため、指保護具１０の構造が簡易となり、また、指保護具１０を安価に得ることができる。
【００３８】
つぎに、上記指保護具１０の変形例について、図７および図８を参照して説明する。
図７は、指保護具の表面図であり、図８は、指保護具を図７中、Ｘ４−Ｘ４線上で切断して示した部分断面図である。
変形例の指保護具１０ａは、永久磁石１２ａが指保護具１０の本体１６に着脱可能に取り付けられる点が指保護具１０の構成と相違する。したがって、以下の説明では、永久磁石１２ａの取り付け構造に関してのみ触れる。
【００３９】
指保護具１０ａは、本体１６の、装着される指の背側の部分Ａ３の中心線部分Ｄ１に長尺の凹部１８が形成される。そして、好ましくは凹部１８にほぼ嵌合状態で収容される寸法に形成される永久磁石１２ａが、着脱可能に凹部１８に取り付けられる。
【００４０】
永久磁石１２ａは、好ましくは、本体１６との間に段差を生じないように、本体１６の表面と永久磁石１２ａの表面とが同一面となるように加工したものを用いる。このとき、さらに、指保護具１０の隆起した中心線部分Ｂ２と同一の表面形状とするために、永久磁石１２ａの表面に凸条を形成すると、より好適である。
【００４１】
指保護具１０ａを使用するとき、好ましくは同一寸法に形成した磁力の強さの異なる複数の永久磁石を準備しておき、用途、用法に適した磁力の強さを有する永久磁石に適宜取り替えて使用すると、好適である。また、用途、用法に関わらず、使用により永久磁石が損傷しあるいは汚損した場合にも、簡単に新品の永久磁石と交換することができて好適である。
なお、永久磁石を交換する必要のない場合は、例えば図９に示すように、適宜の寸法、形状の永久磁石１２ｂを指保護具１０ｂの凹部１８に配置し、本体１６の、装着される指の背側の部分Ａ４の中心線部分Ｅ１の表面に隆起形状の、樹脂あるいは金属からなる被覆層２０を形成してもよい。この場合、本体１６に凹部を形成することなく、平滑面状の本体１６の表面に適宜の寸法の永久磁石を取り付け、その表面に被覆層を形成してもよい。
【図面の簡単な説明】
【００４２】
【図１】本考案の指保護具の表面図である。
【図２】本考案の指保護具の裏面図である。
【図３】本考案の指保護具の側面図である。
【図４】本考案の指保護具を図１中Ｘ２−Ｘ２線で切断して示す断面図である。
【図５】本考案の指保護具を手の指に装着した状態を説明するための図である。
【図６】本考案の指保護具を手の指に装着した状態で包丁による切断作業を行うときの状況を説明するための図である。
【図７】本考案の変形例の指保護具の表面図である。
【図８】本考案の変形例の指保護具を図７中Ｘ４−Ｘ４線で切断して示す部分断面図である。
【図９】本考案の変形例の指保護具の他の例を説明するための部分断面図である。
【符号の説明】
【００４３】
１０、１０ａ、１０ｂ  指保護具
１２、１２ａ、１２ｂ  永久磁石
１４  クッション層
１６  本体
２０  被覆層
【図１】
0003114553.tif 000003
【図２】
0003114553.tif 000004
【図３】
0003114553.tif 000005
【図４】
0003114553.tif 000006
【図５】
0003114553.tif 000007
【図６】
0003114553.tif 000008
【図７】
0003114553.tif 000009
【図８】
0003114553.tif 000010
【図９】
0003114553.tif 000011